(57)【特許請求の範囲】
【請求項１】
郵便受箱本体の天板の正面側部に郵便受箱本体の幅方向に沿って設けられると共に弾性体で形成されたシール体と、前記郵便受箱本体の正面側に回動可能に取り付けられると共に郵便受箱本体の正面側部に形成された開口部を開閉する扉と、この扉を構成する扉本体の上部に扉本体の幅方向に沿って設けられると共に前記扉を閉めると前記シール体を押圧する雨水ガイドリブと、この雨水ガイドリブの一側部又は他側部の少なくとも一方に下方に向かって形成された側リブと、この側リブの外側面に形成された水受部と、前記扉本体の前記水受部に対応する位置に貫通形成された排水穴と、を有してなることを特徴とする防滴郵便受箱。
【請求項２】
郵便受箱本体の天板の正面側部に郵便受箱本体の幅方向に沿って設けられると共に弾性体で形成されたシール体と、前記郵便受箱本体の正面側に回動可能に取り付けられると共に郵便受箱本体の正面側部に形成された開口部を開閉する扉と、この扉を構成する扉本体の上部に扉本体の幅方向に沿って設けられると共に前記扉を閉めると前記シール体を押圧する雨水ガイドリブと、この雨水ガイドリブの一側部又は他側部の少なくとも一方に下方に向かって形成された側リブと、この側リブの外側面に形成された水受部と、前記扉本体の前記水受部に対応する位置に貫通形成された排水穴と、前記側リブの下方であって前記郵便受箱本体に設けられる雨水受体と、前記郵便受箱本体に貫通形成された郵便受箱本体排水穴と、を有してなることを特徴とする防滴郵便受箱。
【請求項３】
郵便受箱本体の天板の正面側部に郵便受箱本体の幅方向に沿って設けられると共に弾性体で形成されたシール体と、前記郵便受箱本体の正面側に回動可能に取り付けられると共に郵便受箱本体の正面側部に形成された開口部を開閉する扉と、この扉を構成する扉本体の上部に扉本体の幅方向に沿って設けられると共に前記扉を閉めると前記シール体を押圧する雨水ガイドリブと、この雨水ガイドリブの一側部に下方に向かって形成された第１側リブと、前記雨水ガイドリブの他側部に下方に向かって形成された第２側リブと、前記第１側リブの外側面に形成された第１水受部と、前記第２側リブの外側面に形成された第２水受部と、前記扉本体の前記第１水受部に対応する位置に貫通形成された第１排水穴と、前記扉本体の前記第２水受部に対応する位置に貫通形成された第２排水穴と、前記第１側リブの下方であって前記郵便受箱本体に設けられる第１雨水受体と、前記第２側リブの下方であって前記郵便受箱本体に設けられる第２雨水受体と、前記郵便受箱本体の一側部に貫通形成された第１郵便受箱本体排水穴と、前記郵便受箱本体の他側部に貫通形成された第２郵便受箱本体排水穴と、を有してなることを特徴とする防滴郵便受箱。
【請求項４】
郵便受箱本体の天板の正面側部に郵便受箱本体の幅方向に沿って設けられると共に弾性体で形成されたシール体と、前記郵便受箱本体の正面側に回動可能に取り付けられると共に郵便受箱本体の正面側部に形成された開口部を開閉する扉と、この扉を構成する扉本体の上部に扉本体の幅方向に沿って設けられると共に前記扉を閉めると前記シール体を押圧する雨水ガイドリブと、この雨水ガイドリブの上面に形成されると共に一側部に向かって下方に傾斜した第１雨水ガイド面と、前記雨水ガイドリブの上面に形成されると共に他側部に向かって下方に傾斜した第２雨水ガイド面と、前記雨水ガイドリブの一側部に下方に向かって形成された第１側リブと、前記雨水ガイドリブの他側部に下方に向かって形成された第２側リブと、前記第１側リブの外側面に形成された第１水受部と、前記第２側リブの外側面に形成された第２水受部と、前記扉本体の前記第１水受部に対応する位置に貫通形成された第１排水穴と、前記扉本体の前記第２水受部に対応する位置に貫通形成された第２排水穴と、前記第１側リブの下方であって前記郵便受箱本体に設けられる第１雨水受体と、前記第２側リブの下方であって前記郵便受箱本体に設けられる第２雨水受体と、前記郵便受箱本体の一側部に貫通形成された第１郵便受箱本体排水穴と、前記郵便受箱本体の他側部に貫通形成された第２郵便受箱本体排水穴と、を有してなることを特徴とする防滴郵便受箱。
【請求項５】
郵便受箱本体の天板の正面側部に郵便受箱本体の幅方向に沿って設けられると共に弾性体で形成されたシール体と、前記郵便受箱本体の正面側に回動可能に取り付けられると共に郵便受箱本体の正面側部に形成された開口部を開閉する扉と、この扉を構成する扉本体の上部に扉本体の幅方向に沿って設けられると共に前記扉を閉めると下端面が前記シール体を押圧する雨水ガイドリブと、この雨水ガイドリブの上面に形成されると共に一側部に向かって下方に傾斜した第１雨水ガイド面と、前記雨水ガイドリブの上面に形成されると共に他側部に向かって下方に傾斜した第２雨水ガイド面と、前記雨水ガイドリブの一側部に下方に向かって形成された第１側リブと、前記雨水ガイドリブの他側部に下方に向かって形成された第２側リブと、前記第１側リブの外側に一体形成された第１外側板部と、前記第２側リブの外側に一体形成された第２外側板部と、前記第１側リブと第１外側板部の間に形成された第１水受部と、前記第２側リブと第２外側板部の間に形成された第２水受部と、前記扉本体の前記第１水受部に対応する位置に貫通形成された第１排水穴と、前記扉本体の前記第２水受部に対応する位置に貫通形成された第２排水穴と、前記第１側リブの下方であって前記郵便受箱本体に設けられる第１雨水受体と、前記第２側リブの下方であって前記郵便受箱本体に設けられる第２雨水受体と、前記郵便受箱本体の一側部に貫通形成された第１郵便受箱本体排水穴と、前記郵便受箱本体の他側部に貫通形成された第２郵便受箱本体排水穴と、を有してなることを特徴とする防滴郵便受箱。
【請求項６】
前記第１側リブ及び前記第２側リブの端面の下部を正面側に向かって傾斜させたことを特徴とする請求項３乃至請求項５記載の防滴郵便受箱。
【発明の詳細な説明】
【技術分野】
【０００１】
本発明は、郵便受箱に関し、詳しくは雨水等が郵便受箱の郵便受箱本体に入り込まない防滴郵便受箱に関する。
【背景技術】
【０００２】
近年、アパート、マンション等の集合住宅の建設費用はローコスト化されており、このためエントランスホールを簡略化する集合住宅が増加している。この結果、郵便受箱を屋外へ設置する集合住宅が増加している。
これに伴い郵便受箱を屋外に設置しても雨水等が郵便受箱に入り込むのを防ぐ防滴郵便受箱が提案されている（特許文献１）。
しかし、この防滴郵便受箱は投入口や投入口扉にそれぞれ水切部を形成したり郵便受本体の内部に樋状の水受部や水受ガイド部等を配設する等、防滴性能を付与するための加工や部品を多く必要としている。
また、前記以外の防滴郵便受箱においても郵便受箱本体と扉の隙間を塞ぐように全面を覆うゴムパッキンや雨水を外部へ排出するためのガイドとなる金具や成形品等を郵便受箱本体や扉に設置する必要等の防滴部品を多く必要とし、非防滴型の郵便受箱に比べると高額になる。
このため、低価格でありながら高品質の防滴郵便受箱を求める市場や需要者の要望に応えることが困難である。
【先行技術文献】
【特許文献】
【０００３】
【特許文献１】特開２００３−１５３７８７号公報
【発明の概要】
【発明が解決しようとする課題】
【０００４】
本発明は、上記事実に鑑みなされたものであり、製品コストを抑えると共に屋外に設置しても雨水等が郵便受箱本体に入り込むのを防止できる防滴郵便受箱を提供するものである。
【課題を解決するための手段】
【０００５】
請求項１の発明は、郵便受箱本体の天板の正面側部に郵便受箱本体の幅方向に沿って設けられると共に弾性体で形成されたシール体と、前記郵便受箱本体の正面側に回動可能に取り付けられると共に郵便受箱本体の正面側部に形成された開口部を開閉する扉と、この扉を構成する扉本体の上部に扉本体の幅方向に沿って設けられると共に前記扉を閉めると前記シール体を押圧する雨水ガイドリブと、この雨水ガイドリブの一側部又は他側部の少なくとも一方に下方に向かって形成された側リブと、この側リブの外側面に形成された水受部と、前記扉本体の前記水受部に対応する位置に貫通形成された排水穴と、を有してなることを特徴としている。
請求項２の発明は、郵便受箱本体の天板の正面側部に郵便受箱本体の幅方向に沿って設けられると共に弾性体で形成されたシール体と、前記郵便受箱本体の正面側に回動可能に取り付けられると共に郵便受箱本体の正面側部に形成された開口部を開閉する扉と、この扉を構成する扉本体の上部に扉本体の幅方向に沿って設けられると共に前記扉を閉めると前記シール体を押圧する雨水ガイドリブと、この雨水ガイドリブの一側部又は他側部の少なくとも一方に下方に向かって形成された側リブと、この側リブの外側面に形成された水受部と、前記扉本体の前記水受部に対応する位置に貫通形成された排水穴と、前記側リブの下方であって前記郵便受箱本体に設けられる雨水受体と、前記郵便受箱本体に貫通形成された郵便受箱本体排水穴と、を有してなることを特徴としている。
請求項３の発明は、郵便受箱本体の天板の正面側部に郵便受箱本体の幅方向に沿って設けられると共に弾性体で形成されたシール体と、前記郵便受箱本体の正面側に回動可能に取り付けられると共に郵便受箱本体の正面側部に形成された開口部を開閉する扉と、この扉を構成する扉本体の上部に扉本体の幅方向に沿って設けられると共に前記扉を閉めると前記シール体を押圧する雨水ガイドリブと、この雨水ガイドリブの一側部に下方に向かって形成された第１側リブと、前記雨水ガイドリブの他側部に下方に向かって形成された第２側リブと、前記第１側リブの外側面に形成された第１水受部と、前記第２側リブの外側面に形成された第２水受部と、前記扉本体の前記第１水受部に対応する位置に貫通形成された第１排水穴と、前記扉本体の前記第２水受部に対応する位置に貫通形成された第２排水穴と、前記第１側リブの下方であって前記郵便受箱本体に設けられる第１雨水受体と、前記第２側リブの下方であって前記郵便受箱本体に設けられる第２雨水受体と、前記郵便受箱本体の一側部に貫通形成された第１郵便受箱本体排水穴と、前記郵便受箱本体の他側部に貫通形成された第２郵便受箱本体排水穴と、を有してなることを特徴としている。
請求項４の発明は、郵便受箱本体の天板の正面側部に郵便受箱本体の幅方向に沿って設けられると共に弾性体で形成されたシール体と、前記郵便受箱本体の正面側に回動可能に取り付けられると共に郵便受箱本体の正面側部に形成された開口部を開閉する扉と、この扉を構成する扉本体の上部に扉本体の幅方向に沿って設けられると共に前記扉を閉めると前記シール体を押圧する雨水ガイドリブと、この雨水ガイドリブの上面に形成されると共に一側部に向かって下方に傾斜した第１雨水ガイド面と、前記雨水ガイドリブの上面に形成されると共に他側部に向かって下方に傾斜した第２雨水ガイド面と、前記雨水ガイドリブの一側部に下方に向かって形成された第１側リブと、前記雨水ガイドリブの他側部に下方に向かって形成された第２側リブと、前記第１側リブの外側面に形成された第１水受部と、前記第２側リブの外側面に形成された第２水受部と、前記扉本体の前記第１水受部に対応する位置に貫通形成された第１排水穴と、前記扉本体の前記第２水受部に対応する位置に貫通形成された第２排水穴と、前記第１側リブの下方であって前記郵便受箱本体に設けられる第１雨水受体と、前記第２側リブの下方であって前記郵便受箱本体に設けられる第２雨水受体と、前記郵便受箱本体の一側部に貫通形成された第１郵便受箱本体排水穴と、前記郵便受箱本体の他側部に貫通形成された第２郵便受箱本体排水穴と、を有してなることを特徴としている。
請求項５の発明は、郵便受箱本体の天板の正面部に郵便受箱本体の幅方向に沿って設けられると共に弾性体で形成されたシール体と、前記郵便受箱本体の正面に回動可能に取り付けられると共に郵便受箱本体の正面部に形成された開口部を開閉する扉と、この扉を構成する扉本体の上部に扉本体の幅方向に沿って設けられると共に前記扉を閉めると下端面が前記シール体を押圧する雨水ガイドリブと、この雨水ガイドリブの上面に形成されると共に一側部に向かって下方に傾斜した第１雨水ガイド面と、前記雨水ガイドリブの上面に形成されると共に他側部に向かって下方に傾斜した第２雨水ガイド面と、前記雨水ガイドリブの一側部に下方に向かって形成された第１側リブと、前記雨水ガイドリブの他側部に下方に向かって形成された第２側リブと、前記第１側リブの外側に一体形成された第１外側板部と、前記第２側リブの外側に一体形成された第２外側板部と、前記第１側リブと第１外側板部の間に形成された第１水受部と、前記第２側リブと第２外側板部の間に形成された第２水受部と、前記扉本体の前記第１水受部に対応する位置に貫通形成された第１排水穴と、前記扉本体の前記第２水受部に対応する位置に貫通形成された第２排水穴と、前記第１側リブの下方であって前記郵便受箱本体に設けられる第１雨水受体と、前記第２側リブの下方であって前記郵便受箱本体に設けられる第２雨水受体と、前記郵便受箱本体の一側部に貫通形成された第１郵便受箱本体排水穴と、前記郵便受箱本体の他側部に貫通形成された第２郵便受箱本体排水穴と、を有してなることを特徴としている。
請求項６の発明は、前記第１側リブ及び前記第２側リブの端面の下部を正面側に向かって傾斜させたことを特徴としている。
【発明の効果】
【０００６】
本発明の防滴郵便受箱は、非防滴郵便受箱に僅かに防滴部品を加えただけのシンプルな構造でありながら雨水等が郵便受箱本体に入り込むのを防止できるという優れた効果を有する。
また、本発明の防滴郵便受箱は、非防滴郵便受箱に僅かに防滴部品を加えただけのシンプルな構造であるため製品コストを抑えることができ、これにより価格を抑えて提供することができるという優れた効果を有する。
【図面の簡単な説明】
【０００７】
【図１】実施例の防滴郵便受箱の全体斜視図である。
【図２】図１のＡ−Ａ線断面図である。
【図３】図１のＢ−Ｂ線断面図である。
【図４】実施例の防滴郵便受箱の扉本体を斜め後部上方から見た斜視図である。
【図５】実施例の防滴郵便受箱の開口部扉を取り外した状態の正面図である。
【図６】実施例の防滴郵便受箱の郵便受箱本体の正面図である。
【発明を実施するための形態】
【０００８】
発明を実施するために最良の形態の例として以下のような実施例を示す。
【実施例１】
【０００９】
図１〜図６には本発明に係る防滴郵便受箱の一実施例が示されている。
図１には防滴郵便受箱１０の全体斜視図が示されている。図１及び図６に示されるように、この防滴郵便受箱１０を構成すると共に郵便物等を収容する郵便受箱本体１２は天板１４、底板１６、奥板１８、第１側板２０、第２側板２２によって箱状に形成され、正面側には開口部２４（図６参照）が形成されている。
図２及び図６に示されるように、前記郵便受箱本体１２の天板１４の正面部には郵便受箱本体１２の幅方向（図１、図６矢印Ｗ方向）に沿って上折曲板部１４Ａが連続形成されている。この上折曲板部１４Ａの下端面にはゴム等の弾性体で形成された角棒状のシール体２６が郵便受箱本体１２の幅方向に沿って接着されている。
また、前記郵便受箱本体１２の底板１６の正面側部には郵便受箱本体１２の幅方向に沿って下折曲板部１６Ａが連続形成されている。
図２に示されるように、前記郵便受箱本体１２の正面側部には扉２８が配設されている。この扉２８は枢支ピン２９を中心として図２矢印Ｋ方向に回動可能に取り付けられ、前記開口部２４を開閉できるようになっている。
この扉２８は樹脂成型品やアルミダイカスト成形品等で形成された扉本体３０と、この扉本体３０の正面側中間下部をカバーする金属製の扉カバー体３２とから構成されている。
図４には前記扉本体３０が後部斜め上方から示されている。この扉本体３０の上部には扉本体３０の幅方向（図４矢印Ｗ方向）に沿って雨水ガイドリブ３４が一体形成されている。
この雨水ガイドリブ３４の下端面３４Ａはフラットに形成されているが、雨水ガイドリブ３４の上面には中央部３４Ｂを頂点として一側部３４Ｃに向かって下方に傾斜した第１雨水ガイド面３４Ｄと中央部３４Ｂを頂点として他側部３４Ｅに向かって下方に傾斜した第２雨水ガイド面３４Ｆがそれぞれ形成されている。このため雨水ガイドリブ３４に浸入した雨水は雨水ガイドリブ３４の一側部３４Ｃ又は他側部３４Ｅに導かれるようになっている。
また、前記扉２８を閉めると図２に示されるように雨水ガイドリブ３４の第１雨水ガイド面３４Ｄと第２雨水ガイド面３４Ｆが前記シール体２６と当接してシール体２６を押圧してシールするようになっている。
図４に示されるように、前記雨水ガイドリブ３４の一側部３４Ｃには第１側リブ３６が下方向に向かって連続形成され、前記雨水ガイドリブ３４の他側部３４Ｅには第２側リブ３８が下方向に向かって連続形成されている。この第１側リブ３６は前記郵便受箱本体１２の第１側板２０の内側に配設され、第２側リブ３８は郵便受箱本体１２の第２側板２２の内側に配設されるようになっている。
また、前記第１側リブ３６の端面３６Ａの下部と第２側リブ３８の端面３８Ａの下部は正面側方向に向かって少し傾斜している。
前記第１側リブ３６の外側には第１外側板部４０が一体形成され、第２側リブ３８の外側には第２外側板部４２が一体形成されている。前記第１側リブ３６と第１外側板部４０の間には窪んだ形状の第１水受部４４が一体形成され、第２側リブ３８と第２外側板部４２の間には窪んだ形状の第２水受部４６が形成されている。
従って、郵便受箱本体１２と扉２８の隙間から入り込んで雨水ガイドリブ３４の第１雨水ガイド面３４Ｄを流れた雨水は一側部３４Ｃから第１側リブ３６の外側面を伝わって第１水受部４４に流れ込み、第２雨水ガイド面３４Ｆを流れた雨水は他側部３４Ｅから第２側リブ３８の外側面を伝わって第２水受部４６に流れ込むようになっている。
なお、第１側リブ３６の外側面を伝わっても第１水受部４４に流れ込まなかった少量の雨水は第１側リブ３６を更に伝わって流れ落ち、前記第２側リブ３８の外側面を伝わっても第２水受部４６に流れ込まなかった少量の雨水は第２側リブ３８を更に伝わって流れ落ちるようになっている。
図５に示されるように、前記扉２８の扉本体３０の上部には横長の投入口４８が開口形成されている。この投入口４８は扉本体３０に回動可能に取り付けられる投入口扉５０（図１参照）によって開閉されるようになっている。
前記扉本体３０の正面側部であって前記第１水受部４４に対応する位置には第１排水穴５２が貫通形成され、扉本体３０の正面側部であって前記第２水受部４６に対応する位置には第２排水穴５４が貫通形成されている。
従って、前記第１水受部４４に流れた雨水は第１排水穴５２を介して、前記第２水受部４６に流れた雨水は第２排水穴５４を介して扉本体３０の正面外側に流れ出るようになっている。
前記郵便受箱本体１２の底板１６の正面側部であって前記第１側リブ３６の下方に対応する箇所には第１雨水受体５６（図示せず）が設けられている。この第１雨水受体５６（図示せず）は前記第１側リブ３６を伝わって第１水受部４４に流れ込まなかった雨水を受ける部材であって合成樹脂で一体形成されている。前記第１雨水受体５６（図示せず）には背板部５６Ａ（図示せず）と側板部５６Ｂ（図示せず）が形成され、第１雨水受体５６（図示せず）に入った雨水が郵便受箱本体１２内に浸入するのを防止できるようになっている。
図２及び図３に示されるように、前記郵便受箱本体１２の底板１６の正面側部であって前記第２側リブ３８の下方に対応する箇所には第２雨水受体５８が設けられている。この第２雨水受体５８は前記第１雨水受体５６（図示せず）と左右対称形状で前記第２側リブ３８を伝わって第２水受部４６に流れ込まなかった雨水を受ける部材であって合成樹脂で一体形成されている。前記第２雨水受体５８には背板部５８Ａと側板部５８Ｂが形成され、第２雨水受体５８に入った雨水が郵便受箱本体１２内に浸入するのを防止できるようになっている。
図３及び図６に示されるように、前記郵便受箱本体１２の下折曲板部１６Ａの一側部の下コーナー部には第１郵便受箱本体排水穴６０が貫通形成され、前記第１雨水受体５６（図示せず）に流れた雨水を排出できるようになっている。
また、前記郵便受箱本体１２の下折曲板部１６Ａの他側部の下コーナー部には第２郵便受箱本体排水穴６２が貫通形成され、前記第２雨水受体５８に流れた雨水を排出できるようになっている。
図１に示されるように、前記扉２８の下部には扉２８を施錠、開錠するダイヤル錠ダイヤル錠６４が取り付けられると共にネームプレート取付部６６が形成されている。
【００１０】
実施例の防滴郵便受箱１０の作用について説明する。
屋外に設置した防滴郵便受箱１０に雨が降り、雨水が郵便受箱本体１２と扉２８の隙間から入り込んでもシール体２６が配設されている箇所では雨水ガイドリブ３４がシール体２６を強く押圧してシールしているので、雨水は郵便受箱本体１２内部に浸入することを阻止される（図２参照）。
このため、郵便受箱本体１２と扉２８の隙間から入り込んだ前記雨水は雨水ガイドリブ３４の第１雨水ガイド面３４Ｄと第２雨水ガイド面３４Ｆを図４矢印Ｘ１のように流れる。そして雨水ガイドリブ３４の一側部３４Ｃから第１側リブ３６の外側を伝わった雨水は図４矢印Ｘ２のように流れて第１水受部４４に流れ込み、雨水ガイドリブ３４の他側部３４Ｅから第２側リブ３８の外側を伝わった雨水は同様に第２水受部４６に流れ込む。
従って、郵便受箱本体１２と扉２８の隙間から入り込んだ雨水の大部分は第１水受部４４、第２水受部４６に流れ込む。前記第１水受部４４に流れ込んだ雨水は第１排水穴５０を介して扉２８の正面側から排出され、第２水受部４６に流れ込んだ雨水は第２排水穴５２を介して扉２８の正面側から排出されるため前記郵便受箱本体１２に浸入しない。
また、第１側リブ３６の外側を伝わっても第１水受部４４に流れ込まなかった少量の雨水は第１側リブ３６を更に伝わって図４矢印Ｘ３のように流れ落ちて行くが、前記第１側リブ３６の端面３６Ａの下部は正面側方向に向かって少し傾斜しているので雨水は正面側方向に導かれ郵便受箱本体１２内に浸入しないようになっている。
同様に前記第２側リブ３８の外側を伝わっても第２水受部４６に流れ込まなかった少量の雨水は第２側リブ３８を更に伝わって同様に流れ落ちて行くが、前記第２側リブ３８の端面３８Ａの下部は正面側方向に向かって少し傾斜しているので正面側方向に導かれ郵便受箱本体１２内に浸入しないようになっている。
この結果、前記第１側リブ３６の外側面を伝わって図４矢印Ｘ３のように流れて行く少量の雨水は第１側リブ３６から流れ落ちて郵便受箱本体１２と扉２８の隙間から排出されたり、あるいは第１雨水受体５６（図示せず）の内部に落ちた後に第１郵便受箱本体排出穴６０から排出される。
同様に第側２リブ３８の外側面を伝わって流れていく少量の雨水は第２側リブ３８から流れ落ちて郵便受箱本体１２と扉２８の隙間から排出されたり、あるいは第２雨水受体５８の内部に落ちた後に第２郵便受箱本体排出穴６２から排出される。
従って、前記第１排水穴５０、第２排水穴５２から排出されなかった雨水も郵便受箱本体１２に浸入することを確実に阻止される。
この結果、防滴郵便受箱１０を屋外に配置しても雨水等が郵便受箱本体１２の内部に浸入することを防止することができ、郵便受箱本体１２に収容された郵便物等が濡れるのを防止することができる。
また、上述したように実施例の防滴郵便受箱１０の構造は従来の非防滴郵便受箱にシール体２６、第１雨水受体５６（図示せず）、第２雨水受体５８等僅かの部品を加えることにより防滴構造を確立でき、非防滴型の郵便受箱とほとんど同等のコストで製作が可能になり、市場や需要者の求めるコストを抑えた防滴郵便受箱を提供することが可能になる。
【００１１】
なお、実施例では防滴郵便受箱１０はマンション等の集合住宅の屋外に設置する場合を説明したが屋内等他の場所において使用してもよいことは勿論である。
【産業上の利用可能性】
【００１２】
本発明の防滴郵便受箱１０は郵便受箱として使用することができるだけでなく新聞受箱等郵便受け以外にも使用することができる。
【符号の説明】
【００１３】
１０    防滴郵便受箱
１２    郵便受箱本体
１４    天板
１６    底板
１６Ａ  下折曲板部
１８    奥板
２０    第１側板
２２    第２側板
２４    開口部
２６    シール体
２８    扉
３０    扉本体
３４    雨水ガイドリブ
３４Ａ  下端面
３４Ｂ  中央部
３４Ｃ  一側部
３４Ｄ  第１雨水ガイド面
３４Ｅ  他側部
３４Ｆ  第２雨水ガイド面
３６    第１側リブ
３８    第２側リブ
４０    第１外側板部
４２    第２外側板部
４４    第１水受部
４６    第２水受部
４８    投入口
５０    投入口扉
５２    第１排水穴
５４    第２排水穴
５６    第１雨水受体
５８    第２雨水受体
６０    第１郵便受箱本体排水穴
６２    第２郵便受箱本体排水穴
【図１】
0005441632.tif 000002
【図２】
0005441632.tif 000003
【図３】
0005441632.tif 000004
【図４】
0005441632.tif 000005
【図５】
0005441632.tif 000006
【図６】
0005441632.tif 000007